(57)【要約】【課題】回転ヘッドシリンダーにテープを券回して信号の入出力を行う磁気記録再生装置で、メインシャーシと往復移動するサブシャーシを備えた磁気記録再生装置において、カセットホルダーをサブシャーシやメインシャーシに対して確実に精度よく保持することを目的とする。【解決手段】メインシャーシに設けたホルダー係合部とカセットホルダーに設けたメインシャーシ係合部をテープ引き出し位置において係合させることにより、カセットホルダーをアップさせるためのバネの反力によってサブシャーシやメインシャーシがねじられることのない磁気記録再生装置を実現する。【選択図】  図７
2004310857.tif 000002
【特許請求の範囲】
【請求項１】
テープカセット内からテープ引き出し部材によりテープを引き出し、回転ヘッドを搭載するシリンダに巻回し、テープを走行させることにより信号の記録再生を行う磁気記録再生装置で、前記回転ヘッドシリンダが搭載されるメインシャーシと、前記メインシャーシ上にあり前記メインシャーシに対し相対的にスライド可能に設けられたサブシャーシと、前記テープカセットを保持し、前記サブシャーシに装着するためのカセットホルダーと、前記カセットホルダーをサブシャーシ上で昇降させるホルダー昇降手段を備え、前記カセットホルダーに前記テープカセットを挿入し、前記サブシャーシに前記テープカセットを装着しうる位置を、テープ装着位置、前記テープカセットからテープを引き出し前記回転ヘッドシリンダに巻回し記録再生を行うことのできる位置を、テープ引き出し位置とし、前記サブシャーシは前記カセット装着位置と前記テープ引き出し位置の間を往復することができる磁気記録再生装置であって、
前記メインシャーシにホルダー係合部を設け、カセットホルダーにメインシャーシ係合部を設け、前記ホルダー係合部と前記メインシャーシ係合部がテープ引き出し位置において係合することを特徴とする磁気記録再生装置。
【請求項２】
メインシャーシに設けられた突起ガイド部とサブシャーシに設けられたガイド溝部が係合することにより前記サブシャーシを前記メインシャーシに対して案内するガイド手段を備え、前記突起ガイド部のカセット装着位置側にホルダー係合部を設け、前記ホルダー係合部とメインシャーシ係合部の少なくともどちらか一方が、前記、ガイド溝部を貫通して、前記ホルダー係合部と前記メインシャーシ係合部が係合することを特徴とする請求項１記載の磁気記録再生装置。
【請求項３】
カセットホルダーとサブシャーシを係合させるホルダーロック手段を装置の中央より右または左側に設け、装置の中央より前記ホルダーロック手段を設けた側と反対側にホルダー係合部とメインシャーシ係合部を設けることを特徴とする請求項１及び２記載の磁気記録再生装置。
【発明の詳細な説明】
【０００１】
【発明の属する技術分野】
本発明は、メインシャーシに対しサブシャーシを相対的に移動させる機構を備えた磁気記録再生装置に関する物である。
【０００２】
【従来の技術】
近年、磁気記録再生装置に於いて、さらなる高精度化、高品質化が図られている。
【０００３】
以下に従来の磁気記録再生装置について図８、９、１０、１１，１２，１３，１４を用いて説明する。
【０００４】
図８は従来の磁気記録再生装置のメインシャーシの二面図で、平面図と左側面図である。図９は従来の磁気記録再生装置のサブシャーシの三面図で、平面図と右側面図と左側面図である。図１０は従来の磁気記録再生装置のカセットホルダーの四面図で、平面図と右側面図と左側面図と正面図である。図１１は従来の磁気記録再生装置のカセットホルダーが上昇した状態でのカセットホルダー昇降機構の模式図である。図１２は従来の磁気記録再生装置のカセットホルダーが下降した状態でのカセットホルダー昇降機構の模式図である。図１３は従来の磁気記録再生装置のカセット装着位置での平面図と左側面図である。図１４は従来の磁気記録再生装置のテープ引き出し位置での平面図と左側面図である。
【０００５】
図８において、１はメインシャーシで、２はメインシャーシ１に設けられた回転ヘッドシリンダー、３はメインシャーシ１に設けられた第１の突起ガイド部で、４はメインシャーシ１に設けられた第２の突起ガイド部である。図９において、５はサブシャーシで、６はサブシャーシ５に設けられた第１のガイド溝部で、７はサブシャーシ５に設けられた第２のガイド溝部で、８はサブシャーシ５に設けられたロック係合部である。図１０において、９はカセットホルダーで、１０は図示されないカセットの挿入口で、１１はカセットホルダー９をサブシャーシ５にロックするためのロックレバーである。図８，９，１０においては、カセットからテープを引き出して回転ヘッドシリンダー２に券回するための機構や、テープを駆動するための機構等が省略されている。
【０００６】
図１１，１２は、カセットホルダー昇降機構を説明するための模式図で、図１１はカセットホルダーが上昇した状態を示し、図１２はカセットホルダーが下降した状態を示す。図１１，１２において、５ａはサブシャーシ５の左側面の壁で、図５では省略されている。サブシャーシの左側面５ａにはカム溝５ｂが設けられており、１２は第１のリンクで、その一端１２ａはカム溝５ｂに摺動自在に係合されており、その他端１２ｂはカセットホルダー９に回動自在に係合されている。１３は第２のリンクで、その一端１３ａはカセットホルダー９に設けられたカム溝９ａに摺動自在に係合されており、その他端１３ｂはサブシャーシの左側面５ａに回動自在に係合されている。第１のリンク１２と第２のリンク１３は１３ｃで回動自在に係合されている。１４はアップバネで、第１のリンク１２と第２のリンク１３との間に張架されカセットホルダー９を常に上昇する方向に力を加えている。装置本体の右側面においても図１１，１２と同様の機構が設けられている。図９ではサブシャーシの左右の側面は省略されている。一般に、１２ｂの位置には左右の第１、第２のリンクの同期を取るための同期軸が設けられているが、本図では省略されている。図１１はカセットホルダー９にカセットが挿入可能な状態で、その状態より使用者がカセットホルダー９を押し下げると、図１２の状態になり、図１０中のロックレバー１１が図９中のロック係合部８と係合することにより、その状態が保持される。ロックレバー１１とロック係合部８は図１１，１２では省略されている。一般的にロックレバー１１はカセットホルダー９に回動自在に設けられており、ロック係合部８と係合したり、また、その係合を解除したりするための詳細な機構は、図８，９，１０，１１，１２，１３，１４では省略されている。ロックレバー１１とロック係合部８とで構成されるロック機構は、装置の右側面にのみ設けられている。
【０００７】
図１３，１４は装置本体のカセット装着位置とテープ引き出し位置での平面図と左側面図であり、カセットホルダー昇降機構や、カセットからテープを引き出して回転ヘッドシリンダー２に券回するための機構、テープを駆動するための機構等は省略されている。図１３，１４においてメインシャーシ１上の第１と第２のの突起ガイド部３，４はサブシャーシ５に設けられた第１と第２のガイド溝６，７に摺動自在に係合しており、サブシャーシ５を往復スライド可能に案内している。図１３では、カセットホルダー９は下降した状態を示している。サブシャーシ５は、図１３のカセット装着位置から、メインシャーシ１上をスライドして図１４に示すテープ引き出し位置まで移動する。
【０００８】
【特許文献１】
特開平１１−３２８７８８号公報
【０００９】
【発明が解決しようとする課題】
しかしながら上記の従来の構成では、アップバネ１４によるカセットホルダー９を上昇させようとする力は、ロックレバー１１とロック係合部８によって押さえられているが、ロックレバー１１とロック係合部８によって構成されるロック機構は装置の右側面に設けられているため、その反対側の装置の左側面側では、カセットホルダー９がサブシャーシ５や、メインシャーシ１に対して上昇しようとし、その結果、カセットホルダー９が水平な状態から、ロック機構の反対側が浮き上がり、そのため、サブシャーシやメインシャーシに対してカセットの高さ方向の位置が確実に決まらないという問題点があった。また、その問題を防止するために、カセットホルダー昇降機構の第１、第２のリンクにおいて左右の位相をずらして、カセットホルダー９が上昇した状態では、カセットホルダー９のロック機構の反対側を少し下げておくという方策が取られることもあるが、そうすると、カセットホルダー９が上昇した状態では、カセットホルダー９が傾くという問題があった。また、カセットホルダー昇降機構の第１、第２のリンクにおいて左右の位相をずらすと、位相のばらつきによって、カセットホルダー９が下降した状態で、カセットホルダー９がサブシャーシ５を下方向に押さえつけることになり、その力によって、サブシャーシ５やメインシャーシ１がねじられ、記録再生状態でテープをガイドするテープガイドポストの傾きの精度を悪くし、テープの安定走行に支障を来すという問題点を有していた。
【００１０】
本発明は上記従来の問題点を解決するもので、メインシャーシにホルダー係合部を設け、カセットホルダーにメインシャーシ係合部を設け、前記ホルダー係合部と前記メインシャーシ係合部がにテープ引き出し位置おいて係合するとしたもので、テープ引き出し位置において、単純な構成でカセットホルダーをサブシャーシやメインシャーシに対して確実に精度よく保持し、カセットホルダーをアップさせるためのバネの反力によってサブシャーシやメインシャーシがねじられることのない高精度の磁気記録再生装置を提供することを目的とする。
【００１１】
【課題を解決するための手段】
上記課題を解決するために本発明の磁気記録再生装置は、メインシャーシにホルダー係合部を設け、カセットホルダーにメインシャーシ係合部を設け、前記ホルダー係合部と前記メインシャーシ係合部がにテープ引き出し位置おいて係合するという構成を有している。
【００１２】
この構成によって、単純な構成でカセットホルダーをサブシャーシやメインシャーシに対して確実に精度よく保持し、カセットホルダーをアップさせるためのバネの反力によってサブシャーシやメインシャーシがねじられることのない高精度の磁気記録再生装置が得られる。
【００１３】
【発明の実施の形態】
本発明の請求項１に記載の発明は、テープカセット内からテープ引き出し部材によりテープを引き出し、回転ヘッドを搭載するシリンダに巻回し、テープを走行させることにより信号の記録再生を行う磁気記録再生装置で、前記回転ヘッドシリンダが搭載されるメインシャーシと、前記メインシャーシ上にあり前記メインシャーシに対し相対的にスライド可能に設けられたサブシャーシと、前記テープカセットを保持し、前記サブシャーシに装着するためのカセットホルダーと、前記カセットホルダーをサブシャーシ上で昇降させるホルダー昇降手段を備え、前記カセットホルダーに前記テープカセットを挿入し、前記サブシャーシに前記テープカセットを装着しうる位置を、テープ装着位置、前記テープカセットからテープを引き出し前記回転ヘッドシリンダに巻回し記録再生を行うことのできる位置を、テープ引き出し位置とし、前記サブシャーシは前記カセット装着位置と前記テープ引き出し位置の間を往復することができる磁気記録再生装置であって、前記メインシャーシにホルダー係合部を設け、カセットホルダーにメインシャーシ係合部を設け、前記ホルダー係合部と前記メインシャーシ係合部がテープ引き出し位置において係合するものであり、単純な構成でカセットホルダーをサブシャーシやメインシャーシに対して確実に精度よく保持し、カセットホルダーをアップさせるためのバネの反力によってサブシャーシやメインシャーシがねじられることのない高精度の磁気記録再生装置が実現できるという作用を有する。
【００１４】
請求項２に記載の発明は、メインシャーシに設けられた突起ガイド部とサブシャーシに設けられたガイド溝部が係合することにより前記サブシャーシを前記メインシャーシに対して案内するガイド手段を備え、前記突起ガイド部のカセット装着位置側にホルダー係合部を設け、前記ホルダー係合部とメインシャーシ係合部の少なくともどちらか一方が、前記、ガイド溝部を貫通して、前記ホルダー係合部と前記メインシャーシ係合部が係合するものであり、サブシャーシに設けられたガイド溝部の穴を利用してカセットホルダーとメインシャーシの係合部を構成するものであり、単純な構成で、スペースを取ることなくカセットホルダーをサブシャーシやメインシャーシに対して確実に精度よく保持し、カセットホルダーをアップさせるためのバネの反力によってサブシャーシやメインシャーシがねじられることのない高精度の磁気記録再生装置が実現できるという作用を有する。
【００１５】
請求項３に記載の発明は、カセットホルダーとサブシャーシを係合させるホルダーロック手段を装置の中央より右または左側に設け、装置の中央より前記ホルダーロック手段を設けた側と反対側にホルダー係合部とメインシャーシ係合部を設けるとしたもので、片側にしかカセットホルダーをサブシャーシにロックする機構が設けられていなくても、その反対側にカセットホルダーとメインシャーシを係合する機構を設けることでカセットホルダーをアップさせるためのバネの反力によってサブシャーシやメインシャーシがねじられることのない高精度の磁気記録再生装置が実現できるという作用を有する。
【００１６】
以下、本発明の実施の形態について、図１から図７を用いて説明する。
【００１７】
（実施の形態１）
図１は本発明の実施の形態における磁気記録再生装置のメインシャーシの二面図で、平面図と左側面図である。図２は本発明の実施の形態における磁気記録再生装置のサブシャーシの三面図で、平面図と右側面図と左側面図である。図３は本発明の実施の形態における磁気記録再生装置のカセットホルダーの四面図で、平面図と右側面図と左側面図と正面図である。図４は本発明の実施の形態における磁気記録再生装置のカセットホルダーが上昇した状態でのカセットホルダー昇降機構の模式図である。図５は本発明の実施の形態における磁気記録再生装置のカセットホルダーが下降した状態でのカセットホルダー昇降機構の模式図である。図６は本発明の実施の形態における磁気記録再生装置のカセット装着位置での平面図と左側面図である。図７は本発明の実施の形態における磁気記録再生装置のテープ引き出し位置での平面図と左側面図である。
【００１８】
図１において、１はメインシャーシで、２はメインシャーシ１に設けられた回転ヘッドシリンダー、３はメインシャーシ１に設けられた第１の突起ガイド部で、４はメインシャーシ１に設けられた第２の突起ガイド部である。２０はメインシャーシ１に設けられたホルダー係合部である。
【００１９】
図２において、５はサブシャーシで、６はサブシャーシ５に設けられた第１のガイド溝部で、７はサブシャーシ５に設けられた第２のガイド溝部で、８はサブシャーシ５に設けられたロック係合部である。
【００２０】
図３において、９はカセットホルダーで、１０は図示されないカセットの挿入口で、１１はカセットホルダー９をサブシャーシ５にロックするためのロックレバーである。２１はカセットホルダー９に設けられたメインシャーシ係合部である。図１，２，３においては、カセットからテープを引き出して回転ヘッドシリンダー２に券回するための機構や、テープを駆動するための機構等が省略されている。
【００２１】
図４，５は、カセットホルダー昇降機構を説明するための模式図で、図４はカセットホルダーが上昇した状態を示し、図５はカセットホルダーが下降した状態を示す。図４，５において、５ａはサブシャーシ５の左側面の壁でる。サブシャーシの右側面５ａにはカム溝５ｂが設けられており、１２は第１のリンクで、その一端１２ａはカム溝５ｂに摺動自在に係合されており、その他端１２ｂはカセットホルダー９に回動自在に係合されている。１３は第２のリンクで、その一端１３ａはカセットホルダー９に設けられたカム溝９ａに摺動自在に係合されており、その他端１３ｂはサブシャーシの左側面５ａに回動自在に係合されている。第１のリンク１２と第２のリンク１３は１３ｃで回動自在に係合されている。１４はアップバネで、第１のリンク１２と第２のリンク１３との間に張架されカセットホルダー９を常に上昇する方向に力を加えている。装置本体の右側面においても図４，５と同様の機構が設けられている。図２ではサブシャーシの左右の側面は省略されている。一般に、１２ｂの位置には左右の第１、第２のリンクの同期を取るための同期軸が設けられているが、本図では省略されている。図４はカセットホルダー９にカセットが挿入可能な状態で、その状態より使用者がカセットホルダー９を押し下げると、図５の状態になり、図３中のロックレバー１１が図２中のロック係合部８と係合することにより、その状態が保持される。ロックレバー１１とロック係合部８は図４，５では省略されている。一般的にロックレバー１１はカセットホルダー９に回動自在に設けられており、ロック係合部８と係合したり、また、その係合を解除したりするための詳細な機構は、図１，２，３，４，５，６、７では省略されている。ロックレバー１１とロック係合部８とで構成されるロック機構は、装置の右側面にのみ設けられている。図６，７は装置本体のカセット装着位置とテープ引き出し位置での平面図と左側面図であり、カセットホルダー昇降機構や、カセットからテープを引き出して回転ヘッドシリンダー２に券回するための機構、テープを駆動するための機構等は省略されている。
【００２２】
図６，７においてメインシャーシ１上の第１と第２のの突起ガイド部３，４はサブシャーシ５に設けられた第１と第２のガイド溝６，７に摺動自在に係合しており、サブシャーシ５を往復スライド可能に案内している。図６では、カセットホルダー９は下降した状態を示している。図６のカセット装着位置では、下降したカセットホルダー９の下面に設けられたメインシャーシ係合部２１はサブシャーシ５の第２のガイド溝部７を貫通している。また、メインシャーシ１に設けられたホルダー係合部２０は、サブシャーシ５の第２のガイド溝部７と平面的に同じ位置にある。サブシャーシ５は、図６のカセット装着位置から、メインシャーシ１上をスライドして図７に示すテープ引き出し位置まで移動する。テープ引き出し位置では、図７に示すようにメインシャーシ係合部２１はホルダー係合部２０と係合することにより、カセットホルダー９をメインシャーシ１に対して上下方向に固定し、これによりカセットホルダー９をアップさせるためのアップバネ１４の反力によってサブシャーシやメインシャーシがねじられることを防止する。
【００２３】
以上のように本実施の形態によれば、メインシャーシ１にホルダー係合部２０を設け、カセットホルダー９にメインシャーシ係合部２１を設け、テープ引き出し位置において、ホルダー係合部２０とメインシャーシ係合部２１をサブシャーシ５のガイド溝部を貫通させて、係合させ、また、カセットホルダーのロック機構であるロックレバー１１やロック係合部８を設けられた側と反対側にホルダー係合部２０とメインシャーシ係合部２１を設けることにより、単純な構成で、スペースを取ることなくカセットホルダーをサブシャーシやメインシャーシに対して確実に精度よく保持し、カセットホルダーをアップさせるためのバネの反力によってサブシャーシやメインシャーシがねじられることのない高精度の磁気記録再生装置が実現することができる。
【００２４】
なお、以上の説明では、右側にカセットホルダーのロック機構を設け、左側にホルダー係合部とメインシャーシ係合部を設けるとしたが、その反対に、左側にカセットホルダーのロック機構を設け、右側にホルダー係合部とメインシャーシ係合部を設けるてもよい。
【００２５】
また、ホルダー係合部とメインシャーシ係合部はサブシャーシのガイド溝部を貫通して係合されるとしたが、サブシャーシにガイド溝部以外の穴部を設けて、そこで、ホルダー係合部とメインシャーシ係合部の係合を行ってもよく、また、サブシャーシに穴を開けることなく、ホルダー係合部とメインシャーシ係合部の係合を行ってもよい。
【００２６】
また、以上の説明では、ホルダー係合部とメインシャーシ係合部はそれぞれ一カ所づつ設けられるとしたが、複数箇所、ホルダー係合部とメインシャーシ係合部が設けられてもよい。
【００２７】
また、以上の説明では、ホルダー係合部とメインシャーシ係合部はそれぞれ、メインシャーシやカセットホルダーの平面部に設けられるとしたが、装置の側壁上に設けられてもよい。
【００２８】
【発明の効果】
以上のように本発明は、メインシャーシ１にホルダー係合部２０を設け、カセットホルダー９にメインシャーシ係合部２１を設け、テープ引き出し位置において、ホルダー係合部２０とメインシャーシ係合部２１をサブシャーシ５のガイド溝部を貫通させて、係合させ、また、カセットホルダーのロック機構であるロックレバー１１やロック係合部８を設けられた側と反対側にホルダー係合部２０とメインシャーシ係合部２１を設けることにより、単純な構成で、スペースを取ることなくカセットホルダーをサブシャーシやメインシャーシに対して確実に精度よく保持し、カセットホルダーをアップさせるためのバネの反力によってサブシャーシやメインシャーシがねじられることのない高精度の磁気記録再生装置が実現できるという優れた効果が得られる。
【図面の簡単な説明】
【図１】本発明の実施の形態における磁気記録再生装置のメインシャーシの二面図
【図２】本発明の実施の形態における磁気記録再生装置のサブシャーシの三面図
【図３】本発明の実施の形態における磁気記録再生装置のカセットホルダーの四面図
【図４】本発明の実施の形態における磁気記録再生装置のカセットホルダーが上昇した状態でのカセットホルダー昇降機構の模式図
【図５】本発明の実施の形態における磁気記録再生装置のカセットホルダーが下降した状態でのカセットホルダー昇降機構の模式図
【図６】本発明の実施の形態における磁気記録再生装置のカセット装着位置での平面図と左側面図
【図７】本発明の実施の形態における磁気記録再生装置のテープ引き出し位置での平面図と左側面図
【図８】従来の実施の形態における磁気記録再生装置のメインシャーシの二面図
【図９】従来の実施の形態における磁気記録再生装置のサブシャーシの三面図
【図１０】従来の実施の形態における磁気記録再生装置のカセットホルダーの四面図
【図１１】従来の実施の形態における磁気記録再生装置のカセットホルダーが上昇した状態でのカセットホルダー昇降機構の模式図
【図１２】従来の実施の形態における磁気記録再生装置のカセットホルダーが下降した状態でのカセットホルダー昇降機構の模式図
【図１３】従来の実施の形態における磁気記録再生装置のカセット装着位置での平面図と左側面図
【図１４】従来の実施の形態における磁気記録再生装置のテープ引き出し位置での平面図と左側面図
【符号の説明】
１  メインシャーシ
２  回転ヘッドシリンダー
３  第１の突起ガイド部
４  第２の突起ガイド部
５  サブシャーシ
５ｂ  カム溝
６  第１のガイド溝部
７  第２のガイド溝部
８  ロック係合部
９  カセットホルダー
１１  ロックレバー
２０  ホルダー係合部
２１  メインシャーシ係合部
１２  第１のリンク
１３  第２のリンク
１４  アップバネ
【図１】
2004310857.tif 000003
【図２】
2004310857.tif 000004
【図３】
2004310857.tif 000005
【図４】
2004310857.tif 000006
【図５】
2004310857.tif 000007
【図６】
2004310857.tif 000008
【図７】
2004310857.tif 000009
【図８】
2004310857.tif 000010
【図９】
2004310857.tif 000011
【図１０】
2004310857.tif 000012
【図１１】
2004310857.tif 000013
【図１２】
2004310857.tif 000014
【図１３】
2004310857.tif 000015
【図１４】
2004310857.tif 000016